(57)【特許請求の範囲】
【請求項１】
下記の(ａ)〜(ｊ)の特徴を有する紙巻き煙草のパック(１１)の群のための-いわゆる紙巻き煙草用カートンである‐外部包装体。
(ａ)薄いカードボードの外部包装部材(１２)が、紙巻き煙草のパック(１１)を包囲している
(ｂ)外部包装部材(１２)の一方の副区域が、他方の副区域、すなわち、外部包装体(１０)から分離されることができる
(ｃ)外部包装部材(１２)は、外部包装体(１０)から外部包装部材(１２)の１つの副区域を分離するために、打ち抜きおよび/またはミシン目(２０)を備える
(ｄ)外部包装体(１０)から切断された副区域は、再閉鎖可能なボックス(２１)を生じさせるために折り曲げられる
(ｅ)ボックス(２１)は、ボックス(２１)を完成し、ボックスの側部壁(２６)を形成するために、折り曲げタブ(３６，３７，３５，２９)を備えており、前記折り曲げタブもまた、外部包装体(１０)から分離することができる
(ｆ)ボックス(２１)は、その幅、深さ、および、高さにおいて、１個の紙巻き煙草パック(１１)、または、大きな両面-前部面(６２)と後部面(６３)によって互いに向き合って接する２個の紙巻き煙草パック(１１)の寸法に対応する
(ｇ)外部包装部材(１２)は、大きな前部壁(１３)、大きな後部壁(１４)、細長い両側部壁(１５，１６)および細長い両端部壁を形成するための諸要素を備える
(ｈ)再閉鎖可能なボックス(２１)は、大きなボックス前部壁(２３)、ボックス後部壁(２４)、細長いボックス両側部壁(２５，２６)、細長い底部壁(２７)、および、細長い閉鎖壁(２８)を形成するための諸要素を備える
(ｉ)ボックス(２１)の閉鎖壁(２８)は、外部包装部材(１２)の側部壁(１５)の一部であり、ボックス後部壁(２４)とボックス前部壁(２３)とに接する
(ｊ)ボックス(２１)の押し込みフラップ(２９)は、閉鎖壁(２８)に接続されており、前記押し込みフラップ(２９)は、外部包装部材(１２)の閉鎖ストリップ(３３)の一部であり、前記閉鎖ストリップ(３３)は、外部包装部材(１２)の側部壁(１５)に接続されている
【請求項２】
前部壁(１３)の副区域と外部包装部材(１２)の後部壁(１４)は、それぞれ、ボックス前部壁(２３)とボックス後部壁(２４)を形成する点および外部包装部材(１２)の１つの端部壁(１８)が１つのボックス側部壁(２５)を形成する点を特徴とする請求項１記載の外部包装体。
【請求項３】
パックの外部包装体(１０)から分離されたボックス(２１)は、
ボックスの側部壁(２６)の外側の押し込みタブ(３６)に付設された押し込みトング(３８，３９)が、ボックスの後部壁(２４)と側部タブ(３７)の間のスリット(４０，４１)内に挿入されるように、
少なくともボックスの側部壁(２６)の区域において、押し込みタブまたは押し込みトング(３８，３９)によって支持される点を特徴とする請求項１または２記載の外部包装体。
【請求項４】
ボックス側部壁(２６)を形成するための折り曲げタブもまた、外部包装体(１０)から分離されることができる点、これらの折り曲げタブは、角部タブ(３５)と側部タブ(３６，３７)を含む点、角部タブ(３５)は、側部壁(１６)の一部として設けられ、側部壁(１６)から分離されることができる点、側部タブ(３６、３７)は、前部壁(１３)および後部壁(１４)の一部として設けられ、前部壁(１３)および後部壁(１４)から分離されることができる点、および、角部タブ(３５)は、底部壁(２７)から続いており、打ち抜きによって、隣接する側部タブ(３６，３７)から区画されている点を特徴とする請求項１記載の外部包装体。
【請求項５】
外部包装部材(１２)の打ち抜き分離部(４６)の領域において分離されることができる２つの部分的なパックの外部包装体(４４，４５)からなり、前記の各部分的なパックの外部包装体(４４，４５)は、請求項１記載の外部包装体(１０)に対応する外部包装体。
【発明の詳細な説明】
【０００１】
【産業上の利用分野】
この発明は、紙巻き煙草のパックの群を包み込む、（薄い）カードボードまたは同様の包装材で構成される外部包装部材を備え、外部包装部材の副区域が、打ち抜きおよび／またはミシン目によってパックの包装部材から切り離すことができる、紙巻き煙草パックの群のためのパックの外部包装体-いわゆる紙巻き煙草の板状体(stick)-に関する。
【０００２】
この発明は、薄いカードボードその他の、本来一定の剛性を有する折り曲げ可能な材料で構成されるパックの外部包装体に関する。ここにいう紙巻き煙草パックは、好ましくは世界に知られたソフトパックである。
【０００３】
【従来の技術】
前記「紙巻き煙草の板状体(stick)」は、通常は、１０個のパックを収容する。しかしながら、分割可能なパックの外部包装体も知られており、この場合は、片方に５個のパックが収まっている。その結果、５個のパックそれぞれのために、個別にパックの外部包装体が発生する(US 4,932,534)。
【０００４】
【発明が解決しようとする課題】
この発明の目的は、パックの外部包装体の用途をさらに拡大することである。
【０００５】
【課題を解決するための手段】
この目的達成のため、この発明のパックの外部包装体は、外部包装部材から切り離された部分が、再閉鎖が可能なボックスとなるように折り曲げることができ、前記ボックスの幅、深さおよび高さが、１個の紙巻き煙草のパックまたは大きな表面（前部面および／または後部面）によって互いに接している２個の紙巻き煙草パックの各寸法と一致する点に特徴を有し、このように構成する意図は、折り曲げ対象であるタブを折り曲げてボックスの側壁を形成して、ボックスを完成することである。
【０００６】
【作用】
この発明の提案によれば、パックの外部包装体は、それが使用されるときに、前記パックの外部包装体の包装材料から、少なくとも１つの小規格のボックスが作られるように、残留予定の外部包装体と前記小規格のボックスとに分割される。前記ボックスが、１個の紙巻き煙草のパックを収容するように設計され形状を決められることが好ましい。
【０００７】
したがって、このボックスは、ソフトカートンのソフトパックを収容するのに特に適している。材料という観点から有利なこのタイプのパックは、寸法の安定性が低いという不利に晒されており、その結果、紙巻き煙草に望ましからざる変形が生じる危険がある。外部包装体からなる特に、薄いカードボード製のボックスを使用することによって、ソフトパック用に寸法の安定した外部包装体を得ることができる。前記の外部包装体は、複合した用途をもち、その結果、外部包装体の被包装物全体が、安定した外部包装体内に徐々に挿入することができる。
【０００８】
この発明によれば、外部包装体の外部包装部材は、その副区域／または端部区域によって、特に、断面が紙巻き煙草のパックの寸法と一致する規格を有する外部包装体または外部包装体の一部の場合に、ボックスを直接形成する。ボックスを製造するには、閉じた状態にある（一部の）外部包装体を単に切り離すだけでよい。すなわち、ボックスの一方の側壁を形成するために、タブを折り曲げることだけである。前記タブは、側壁と対応する位置に折り曲げられ、好ましくは、押し込みタブによって、互いに連結される。したがって、紙巻き煙草のパック用の正確なサイズを持つボックスが、ほんの少しの手操作を経るだけで形成される。
【０００９】
この発明のこれ以上の細部は、外部包装体の外部包装部材の設計およびこれから製造されるボックスの形状に関する。以下に、添付図面を参照しつつ、この発明の模範実施例を詳細に説明する。
【００１０】
【実施例】
図示の模範実施例は、紙巻き煙草のパック11のための外部包装体10に基礎を置くものである。紙巻き煙草のパック11は、例えば図５に示すように、好ましくはソフトカートンパックまたはソフトパックである。このタイプのパックは、通常、箔または紙で作られる内部包装体57からなり、紙巻き煙草の群の包装を意図し、上部が開く紙製のカートンである。したがって、このタイプのパックは、寸法安定性が低い。紙巻き煙草の群-紙巻き煙草のブロック-を有する内部包装体57が、上部においてカートンから僅かに突出する。内部包装体57は、この包装体の一部で互いに重なる折り曲げタブ60からなる上部壁59を形成する。通常は接着剤で互いに接続はされない折り曲げタブ60が、端部表面および／または上部壁59の上方を横断して延在する収入印紙61によって閉じた位置に支持されている。上部壁59は、両折り曲げタブ60のそれぞれの一部が、紙巻き煙草のパック11を使用するために切り離される点で、切除開口部として通常使用される。
【００１１】
一例として図５に示す紙巻き煙草のパック11は、大きな表面域の前部面62とこれに対応する後部面63を備える直方体の形態に設計される。互いに向き合う側部面64,65は、紙巻き煙草の群の幅と同じで幅が狭い。
【００１２】
外部包装体10が、このタイプまたはこれと類似したタイプの複数個の紙巻き煙草のパック11、すなわち、５個または１０個のパック11のいずれかを収容する。前記の紙巻き煙草のパックは、一定の寸法安定性を備える折り曲げ可能材料で構成される１つの外部包装部材12に包まれる。特に、外部包装部材12は、薄いカードボードから作られる。
【００１３】
今の場合、パックの外部包装体10は、複数個の紙巻き煙草のパック11の群を四方から包み込むような形状を有する。外部包装部材12とそれから作られるパックの外部包装体10は、したがって、長方形の前部壁13および後部壁14と、さらに細長い両側部壁15,16と、互いに向き合う比較的小さい端部壁17,18 を形成する。
【００１４】
図１の模範実施例の場合は、パックの外部包装体10は、並んで配置された５個の紙巻き煙草のパック11を収容する機能を有する。前部壁13と後部壁14および両側壁15,16の長さは、したがって、直立する細長い両側部表面64,65を接して互いに並んで配置された５個の紙巻き煙草のパック11の寸法と一致する。前記の複数個の紙巻き煙草のパックは、開放側すなわち、錫箔または紙で作られる内部包装体57によって形成される上部壁59が、外部包装部材12の側部壁15に向くように、外部包装体10内部に配置されており、前記の側部壁15は、図１では頂部に来るように描かれている。
【００１５】
外部包装部材12が適切な形状、すなわちミシン目列20を備えている結果として、パックの外部包装体10の一部すなわちボックス21が、残留する外部包装体22を残して、パックの外部包装体10から切り離されることができるという事実に格別な特徴が存在する。この切り離しは、ミシン目列が、閉じた状態で完成されたパックの外部包装体10の内部で、下記のように対応して設計され配設される結果として発生する。すなわち、パックの外部包装体10から、残留する外部包装体22を残して、切り離されるボックス21が、紙巻き煙草のパック11と同寸法になるように、前記ミシン目列が設計配設されるのである。さらに加えて、折り曲げタブも前記パックの外部包装体10から分離されるのであり、これらのタブは、ボックス21を完成するために、すなわちボックスの開口側を閉じるために役立つのである。
【００１６】
パックの外部包装体10から、残留する外部包装体22を残して、切り離されることによって形成されるボックス21は、１個の紙巻き煙草のパック11が使用を開始されるまで、その外部包装体として機能する。このような構造を取るパックの外部包装体10は、その内部に収容される複数個の、またはすべての紙巻き煙草のパック11を安定的に保護する機能を遂行する。
【００１７】
現実施例の場合は、ボックス21が、紙巻き煙草11をその四方で包み込む包装体、言い換えれば、ボックス前部壁23, ボックス後部壁24,ボックス両側部壁25,26および底部壁27を有する包装体を形成する。押し込みフラップ29を備える閉鎖壁28が上側に設けられる。これらが備わっているので、紙巻き煙草を取り出すためにボックス21を何回も繰り返し開閉することが可能になる。この構造の下で、押し込みフラップ29が、紙巻き煙草のパック11とボックスの前部壁23の間に押し込まれる。閉鎖壁28と押し込みフラップ29は、ボックスの後部壁24と連結されている。
【００１８】
一方のボックスの側壁25は、パックの外部包装体10の端部壁18に相当する。前記端部壁またはボックス側部壁25は、既知構造の端部壁タブ30,31および32、すなわち長方形の外側端部壁タブ30、ほぼ三角形の小内側端部壁タブ31および台形の内側端部壁タブ32からなる。ボックス21の底部壁27は、パックの外部包装体10の（下方）側部壁16に相当する。前記側部壁16は、外部包装部材12のブランク内であって、前部壁13と後部壁14の間に設けられる。ボックス21の閉鎖壁28と押し込みフラップ29は、パックの外部包装体10の対応諸部分、すなわち、該当するように設けられた閉鎖ストリップ33を有する側壁15と対応する部分である。
【００１９】
残留する外部包装体22の側を向くボックスの側部壁26を形成するためには、やはり切り離された折り曲げタブ、すなわちパックの外部包装体10の側部壁16の一部としての下方の角部タブ35が利用される。さらに、側部タブ36と37が形成される。これらはパックの外部包装体10の前部壁13と後部壁14の一部である。側部タブ36は、外側に位置し、ボックスの側部壁26用の外蓋として機能する。したがって、パックの外部包装体10から切り離されるボックス21を完成するには、先ず、角部タブ35が直立位置に折り曲げられ、次ぎに側部タブ37が続いて折り曲げられ、最後に、側部タブ36がそれぞれ９０度だけ折り曲げられる。
【００２０】
２つの側部タブ36,37は、例えば（図示しない）有効な接着スポットによって互いに連結される。現実施例においては、このための手段として押し込み連結部が選択される。この目的で、外側に位置する側部タブ36の自由な長手方向限界部に、押し込みトング38,39が設けられる。ボックス21を組み立てる当たり、前記の押し込みトングが倒伏されて、スリット40,41内に導入される。前記スリットは、直立したボックス縁部42の区域内で、ボックス後部壁24とこれに隣接する側部タブ37の間に形成される。前記両スリット40,41は、ともに円弧状の外形をなす押し込みトング38,39 が前記両スリット内に挿通できるような寸法に定める。この構造の下においては、押し込みトング38,39が、好ましくは、結果としてボックスの後部壁24の内側と接するように９０度に亘って折り曲げられる。
【００２１】
押し込みトング38,39 は、パックの外部包装体10の前部壁13から、該当する形状に配設されたミシン目20を介して形成される。現実施例では、打ち抜き部43が、それぞれの押し込みトング38,39 の区域に設けられている。打ち抜き部43は、ボックス21の製造に伴って必要な、押し込みトング38,39 の折り曲げを簡単化するのに有用である。さらに、前記打ち抜き部43がＵ字状の形態をしているので、これが、押し込みトング38,39 をスリット40,41 内に正確に位置付けるためのストッパを提供する。
【００２２】
図１のパックの外部包装体10は、その一部である。この代替例が図３に示される。ここでは一続きの外部包装部材12用のブランクが、２つの部分的なパックの外部包装体44,45 が先ず１つのユニットを形成するために作られるが、使用またはそれ以前に分離できるように設計される。それぞれの部分的なパックの外部包装体44,45 は、図１に示されるパックの外部包装体10と同一寸法、同一形状である。
【００２３】
２つの部分的なパックの外部包装体44,45 は、打ち抜き分離部46の区域で互いに連結されている。前記打ち抜き分離部は、残留する連結部47によって中断されたミシン目列からなる。ウエブ状の前記残留する連結部47は、前記の部分的なパックの外部包装体44,45 を分離するために破壊され、切り離される。
【００２４】
外部包装部材12用のブランクは、どちらの部分的なパックの外部包装体44,45の場合も、折り曲げ線48,49,50,51 によって、パックの外部包装体10または部分的なパックの外部包装体44,45 の壁部を形成する細長い区域内に予備的に形成される。長手方向の折り曲げ線49,50 は、前部壁13と後部壁14の間において、パックの外部包装体10の下部側壁16を区画する。長手方向の折り曲げ線50,51 は、閉鎖ストリップ33と隣接する上部側壁15を区画する。長手方向の折り曲げ線48…51は、パックの外部包装体10から、残留する外部包装体22を残して、分離された後、ボックス21の対応する横断方向の縁部を形成する。
【００２５】
横断方向の折り曲げ線52,53 は、前部壁13, 後部壁14, および側部壁16を端部壁タブ30,31,32から分離する。横断方向の折り曲げ線52は、ボックスの縁部42と平行なボックスの直立した前部および後部縁部を形成する。これは、やはり同様に、別の横断方向の折り曲げ線によってパックの外部包装体10または部分的なパックの外部包装体44,45 の区域内に予備的に形成される。
【００２６】
部分的なパックの外部包装体44,45 用の各ブランクは、ボックス21の区域を区画するミシン目列20を備える。したがって、ボックス21は、それぞれ残留する外部包装体22を残して、それぞれ折り曲げられた部分的なパックの外部包装体44,45 から分離されて、折り曲げ操作によって組み立てられる。この目的に添う特徴を有するボックス21または外部包装部材12の２つの区域が、模範例を示す図３に、互いに点対称に配置されている。１つのボックス21を、- 被包物を含み -既述の態様で、部分的なパックの外部包装体44,45 から分離することができる。
【００２７】
連続した中断部のないミシン目列20が、ボックス21用のブランクの輪郭と対応している。したがって、前記ミシン目列は、閉鎖ストリップ33の自由端から打ち抜き分離部46まで、換言すれば部分的なパックの外部包装体44,45 の幅全体に亘って延在する。
【００２８】
加えて、現模範実施例の場合は、２つの平行した打ち抜き切断部55,56が備わっている。これらの切断部は、ボックス21の下方角部タブ35を隣接する側部タブ36,37 （図１）から分離する。打ち抜き切断部55,56 は、ミシン目列20とともに１作業サイクルで付与されることができる。さらに、前記と同時の作業サイクルで、スリット40,41 も打ち抜きによって付与することができる。現実施例の場合は、外側の側部タブ36は、ミシン目列20の拡幅に相当する分だけ内側の側部タブ37よりも多少幅が広い（図３）。
【００２９】
切り離した後のボックス21の取扱いおよびその組み立ては下記の通りである。すなわち、閉鎖壁28が（押し込みフラップ29とともに）起立されたとき、紙巻き煙草のパック11の上部壁59に自由にアクセスできるようにすることである（図２参照）。個々の紙巻き煙草は、折り曲げタブ60の一部を切り離すことによって形成される恒久的な開口部から、かくして取り出すことができる。ボックス21が閉じられると、上部壁59内の開口部は、閉鎖壁28によって閉じられるので、結果として紙巻き煙草のパック11に蓋がされることになる。
【００３０】
パックの外部包装体10は、例えば下記のように代替形状を有するようにしてもよい。すなわち、並んで配置された２個の紙巻き煙草のパック11が、対応する寸法を持つボックスとともにパックの外部包装体から分離されるようにしても差支えない。この構造のでは、２個の紙巻き煙草のパックが、それらの大きな面によって、言い換えれば前部面62と後部面63によって、互いに向き合って接する。
【００３１】
【発明の効果】
この発明によれば、パックの外部包装体は、それが使用されるときに、前記パックの外部包装体の包装材料から、残留する外部包装体を残して、少なくとも１つの小規格のボックスが作られるように、しかるべく分割される。
【００３２】
このボックスは、寸法の安定性が低いソフトパックを収容するのに特に適しており、紙巻き煙草に望ましからざる変形が生じる危険がない。
【００３３】
したがって、パックの外部包装体の用途をさらに拡大する結果となる。
【図面の簡単な説明】
【図１】  ボックス用にその一部が切り離された後に残留する外部包装体、および、ボックスの斜視図。
【図２】  紙巻き煙草のパックを有する、すでに折り曲げられたボックスの同様な斜視図。
【図３】  外部包装体の外部包装部材用の展開ブランク。
【図４】  ボックス用の１ブランクの拡大図。
【図５】  紙巻き煙草用の折り曲げられたソフトカートンパックの斜視図。
【符号の説明】
１０…パックの外部包装体，１１…紙巻き煙草のパック，１２…外部包装部材，１３…前部壁，１４…後部壁，２０…ミシン目列，２１…ボックス，２２…残留するパックの外部包装体，２３…ボックス前部壁，２４…ボックス後部壁，２６…ボックス側部壁，２７…底部壁，２８…閉鎖壁，２９…押し込みフラップ，３６，３７，３５，２９…折り曲げタブ，４０，４１…スリット，４６…打ち抜き分離部，４７…残留する連結部，５５，５６…打ち抜き切断部，６２…前部面，６３…後部面。
【図１】
0003636766.tif 000002
【図２】
0003636766.tif 000003
【図３】
0003636766.tif 000004
【図４】
0003636766.tif 000005
【図５】
0003636766.tif 000006